(57)【要約】【課題】  容器として変形することなく１２１℃での滅菌処理に耐えて該滅菌処理後も安定的な弱シール性を保持するのみならず、透明性に優れ、しかも弱シール部のシール強度のコントロールを容易かつ自在に行うことが可能な複室容器を提供することを目的とする。【解決手段】  少なくとも片面にヒートシール層を備えた樹脂フィルム又はシートにより構成される容器であって、内壁面がヒートシール層により形成されると共に、対向する前記内壁面の一部を剥離可能にヒートシールして設けた弱シール部によって容器内部が区画され、複数の内容物がそれぞれ隔離して収容される複室容器において、前記ヒートシール層が特定のプロピレン系共重合体組成物よりなることを特徴とする複室容器。【選択図】  図１
2005168810.tif 000002
【特許請求の範囲】
【請求項１】
少なくとも片面にヒートシール層を備えた樹脂フィルム又はシートにより形成される容器であって、前記ヒートシール層が前記容器の内壁面を構成すると共に、対向する前記内壁面の一部を剥離可能にヒートシールして設けた弱シール部によって容器内部が区画され、複数の内容物がそれぞれ隔離して収容される複室容器において、前記ヒートシール層が下記（Ａ）成分と（Ｂ）成分とを含むプロピレン系共重合体組成物よりなることを特徴とする複室容器。
（Ａ）成分：プロピレンと、エチレン及び／又は炭素数４〜８のα−オレフィンとからなるプロピレン系共重合体成分であって、温度上昇溶離分別法（温度：０〜１４０℃、溶媒：ｏ−ジクロロベンゼン）を用いた場合に、０℃での溶出分の割合が全溶出量に対して１５質量％以上５０質量％以下、６０℃以上９０℃以下での溶出分の割合が全溶出量に対して５質量％以上１５質量％未満であるプロピレン系共重合体成分。
（Ｂ）成分：プロピレンと、エチレン及び／又は炭素数４〜８のα−オレフィンとからなるプロピレン系共重合体成分であって、温度上昇溶離分別法（温度：０〜１４０℃、溶媒：ｏ−ジクロロベンゼン）を用いた場合に、０℃での溶出分の割合が全溶出量に対して０質量％以上２５質量％以下、６０℃以上９０℃以下での溶出分の割合が全溶出量に対して１５質量％以上７０質量％以下であるプロピレン系共重合体成分。
【請求項２】
前記弱シール部が、前記プロピレン系共重合体組成物よりなるヒートシール層を少なくとも表面層として備えるイージーピール用テープを、対向する前記内壁面間に挿入した状態で当該箇所をヒートシールすることにより設けられた請求項１記載の複室容器。
【請求項３】
前記容器がポリプロピレン樹脂製のポート部を有する請求項１又は２記載の複室容器。
【請求項４】
前記プロピレン系共重合体組成物に含まれる前記（Ａ）成分と前記（Ｂ）成分との配合比が、（Ａ）成分：（Ｂ）成分＝９８：２〜５０：５０（質量比）である請求項１，２又は３記載の複室容器。
【請求項５】
前記プロピレン系共重合体組成物が、スチレン含有率２５質量％以下のスチレン系エラストマーを１〜１０質量％の割合で含む請求項１，２，３又は４記載の複室容器。
【請求項６】
前記樹脂フィルム又はシートが、ヒートシール層、中間層、及び最外層を含む３層以上の積層構成を有する請求項１乃至５のいずれか１項に記載の複室容器。
【請求項７】
前記樹脂フィルム又はシートが、１２１℃で３０分間の滅菌処理を行なった直後にＪＩＳ−Ｋ７１０５に準拠して測定した全光線透過率が８０％以上、ヘイズが２５％以下である請求項１乃至６のいずれか１項に記載の複室容器。
【請求項８】
ＪＩＳ−Ｚ０２３８に準拠して測定したヒートシール強度（１８０°剥離強度）の値として、前記弱シール部のヒートシール強度が１〜６Ｎ／１５ｍｍであり、かつ前記弱シール部以外のヒートシール部のシール強度が２５Ｎ／１５ｍｍ以上である請求項１乃至７のいずれか１項に記載の複室容器。
【請求項９】
前記容器が５００ｍｌ未満の内容量を収容するものであり、かつ前記弱シール部のヒートシール強度が１〜３Ｎ／１５ｍｍである請求項８記載の複室容器。
【請求項１０】
前記容器が５００ｍｌ以上の内容量を収容するものであり、かつ前記弱シール部のヒートシール強度が３〜６Ｎ／１５ｍｍである請求項８記載の複室容器。
【発明の詳細な説明】
【技術分野】
【０００１】
本発明は、弱シール部（隔離部）により互いに隔離して形成された複数の部屋（室）を有し、これら各部屋に収容される複数の内容物を、使用時には隔離部を破壊することによって密封状態で混合可能な複室容器であって、弱シール部のシール強度のコントロールが容易で、しかも１２１℃での滅菌処理を適用することが可能な複室容器に関する。
【背景技術】
【０００２】
医療分野では、複数の薬剤成分を分離収納した容器を用いて保存・流通させ、投与する直前に混合し投与することが一般的に行われている。例えばＩＶＨ用の輸液製剤としては、栄養源である糖質及びアミノ酸と電解質とを含んだものが用いられるが、ブドウ糖とアミノ酸とを含む液はメイラード反応による変質が起こり易いため、投与する直前までは別々の容器に収容しておき、投与直前に混合する方法が一般的に行われている。
【０００３】
この様な混合を密封容器内で行うことが可能な、内部が複数領域に区画された複数の部屋を有する複室容器が多数出願されている（例えば、特許文献１：特許第２６７５０７５号公報、特許文献２：特許第２６７５０４９号公報、特許文献３：実開平５−５１３８号公報、特許文献４：特開平８−２２９０９９号公報、特許文献５：特開平８−２２９１００号公報参照）。これらは、容器の一部に弱シール部を設けて容器内部を複室化し、使用時には弱シール部を手や治具を用いて破壊する（連通させる）ことにより、密封状態下で複数の内容物を混合することが可能な複室容器に関するものである。
【０００４】
ここで、上記特許文献１及び特許文献２に開示された複室容器は、弱シール部に関与するシール層が直鎖状低密度ポリエチレンとポリプロピレン樹脂との混合物で構成されているため、１２１℃での滅菌処理を行なうとシール層が軟化したり、破袋や容器変形が生じるおそれがある。
【０００５】
上記特許文献３には弱シール可能なテープ（シート）を容器の内部に挿入して複室容器を製造する方法が開示されているが、開示されているテープの組成はポリエチレンとポリプロピレンとの混合組成であり、上記特許文献１，２の場合と同様、１２１℃での滅菌処理に適さない。
【０００６】
上記特許文献４や特許文献５には、ポリエチレンとオレフィンブロックコポリマーとの重合体組成物、あるいは、ポリプロピレン系ポリマーとスチレン系エラストマーとの重合体組成物によりヒートシール層を構成した複室容器が開示されているが、これらの重合体組成物にはいずれもα−オレフィンやエラストマーが多量に含まれているため耐熱性に乏しく、やはり１２１℃での滅菌適性に欠けるものである。
【０００７】
一方、包装容器に対しては落下時の衝撃に充分耐えること、例えば食品衛生法に定める落下試験に合格することも重要な要素とされるが、この落下試験において要求されるシール強度は内容物の重量により基準が異なる。これは、例えば５００ｍｌの液体を収容した容器と１Ｌの液体を収容した容器とでは、落下時の破袋を防止するために要求されるヒートシール強度が異なるためであるが、これは複室容器の弱シール部についても同様である。
【０００８】
従って、複室容器における弱シール部（隔離部）を念頭に置いた場合、例えば内容量が５００ｍｌ未満であるような場合には弱シール部のシール強度は比較的低い強度に設定される必要がある。これは、容器が小さいことから破袋防止のための弱シール部の強度を高く設定する必要がなく、逆に弱シール部のシール強度が高すぎると弱シール部の剥離に手間がかかるためである。一方、例えば内容量が５００ｍｌ以上であるような場合には弱シール部のシール強度は比較的高く設定される必要がある。これは、容器が大きいことから輸送時や落下時などに弱シール部にかかる荷重が大きく、弱シール部のシール強度が低いと自重により弱シール部が連通してしまうおそれがあるためである。
【０００９】
しかしながら、従来の複室容器では弱シール部のシール強度を調節することが可能なヒートシール温度の幅が２０℃程度に過ぎず（例えば、特許文献６：特開２００３−５２７９１号公報参照）、複室容器の内容物の重量なども鑑みつつ、弱シール部のヒートシール強度を容易かつ自在にコントロールするには、なお改良の余地があった。
より広い温度範囲で弱シール部を形成可能な複室容器が求められていた。
【００１０】
【特許文献１】特許第２６７５０７５号公報
【特許文献２】特許第２６７５０４９号公報
【特許文献３】実開平５−５１３８号公報
【特許文献４】特開平８−２２９０９９号公報
【特許文献５】特開平８−２２９１００号公報
【特許文献６】特開２００３−５２７９１号公報
【発明の開示】
【発明が解決しようとする課題】
【００１１】
本発明は、上記事情に鑑みなされたもので、容器として変形することなく１２１℃以上での滅菌処理に耐えて該滅菌処理後も安定的な弱シール性を保持するのみならず、透明性に優れ、しかも弱シール部のシール強度のコントロールを容易かつ自在に行うことが可能な複室容器を提供することを目的とする。
【課題を解決するための手段】
【００１２】
本発明者は、上記目的を達成するため鋭意検討の結果、少なくとも片面にヒートシール層を備えた樹脂フィルム又はシートにより形成される容器であって、前記ヒートシール層が前記容器の内壁面を構成すると共に、対向する前記内壁面の一部を剥離可能にヒートシールして設けた弱シール部によって容器内部が区画され、複数の内容物がそれぞれ隔離して収容される複室容器において、
前記ヒートシール層を、特定の低結晶性プロピレン系共重合体成分と特定の高結晶性プロピレン系共重合体成分とを配合して得たプロピレン系共重合体組成物にて形成することにより、１２１℃での滅菌処理に対する耐熱性を有し、かつ透明性に優れた複室容器となし得るのみならず、ヒートシール温度の変化に対するヒートシール強度の変化が比較的小さな領域が広い温度範囲に亘って発現するため、特に弱シール部のシール強度のコントロールを容易かつ自在に行うことが可能となることを知見し、本発明をなすに至った。
【００１３】
即ち、本発明は、以下の複室容器を提供する。
請求項１：
少なくとも片面にヒートシール層を備えた樹脂フィルム又はシートにより形成される容器であって、前記ヒートシール層が前記容器の内壁面を構成すると共に、対向する前記内壁面の一部を剥離可能にヒートシールして設けた弱シール部によって容器内部が区画され、複数の内容物がそれぞれ隔離して収容される複室容器において、前記ヒートシール層が下記（Ａ）成分と（Ｂ）成分とを含むプロピレン系共重合体組成物よりなることを特徴とする複室容器。
（Ａ）成分：プロピレンと、エチレン及び／又は炭素数４〜８のα−オレフィンとからなるプロピレン系共重合体成分であって、温度上昇溶離分別法（温度：０〜１４０℃、溶媒：ｏ−ジクロロベンゼン）を用いた場合に、０℃での溶出分の割合が全溶出量に対して１５質量％以上５０質量％以下、６０℃以上９０℃以下での溶出分の割合が全溶出量に対して５質量％以上１５質量％未満であるプロピレン系共重合体成分。
（Ｂ）成分：プロピレンと、エチレン及び／又は炭素数４〜８のα−オレフィンとからなるプロピレン系共重合体成分であって、温度上昇溶離分別法（温度：０〜１４０℃、溶媒：ｏ−ジクロロベンゼン）を用いた場合に、０℃での溶出分の割合が全溶出量に対して０質量％以上２５質量％以下、６０℃以上９０℃以下での溶出分の割合が全溶出量に対して１５質量％以上７０質量％以下であるプロピレン系共重合体成分。
請求項２：
前記弱シール部が、前記プロピレン系共重合体組成物よりなるヒートシール層を少なくとも表面層として備えるイージーピール用テープを、対向する前記内壁面間に挿入した状態で当該箇所をヒートシールすることにより設けられた請求項１記載の複室容器。
請求項３：
前記容器がポリプロピレン樹脂製のポート部を有する請求項１又は２記載の複室容器。
請求項４：
前記プロピレン系共重合体組成物に含まれる前記（Ａ）成分と前記（Ｂ）成分との配合比が、（Ａ）成分：（Ｂ）成分＝９８：２〜５０：５０（質量比）である請求項１，２又は３記載の複室容器。
請求項５：
前記プロピレン系共重合体組成物が、スチレン含有率２５質量％以下のスチレン系エラストマーを１〜１０質量％の割合で含む請求項１，２，３又は４記載の複室容器。
請求項６：
前記樹脂フィルム又はシートが、ヒートシール層、中間層、及び最外層を含む３層以上の積層構成を有する請求項１乃至５のいずれか１項に記載の複室容器。
請求項７：
前記樹脂フィルム又はシートが、１２１℃で３０分間の滅菌処理を行なった直後にＪＩＳ−Ｋ７１０５に準拠して測定した全光線透過率が８０％以上、ヘイズが２５％以下である請求項１乃至６のいずれか１項に記載の複室容器。
請求項８：
ＪＩＳ−Ｚ０２３８に準拠して測定したヒートシール強度（１８０°剥離強度）の値として、前記弱シール部のヒートシール強度が１〜６Ｎ／１５ｍｍであり、かつ前記弱シール部以外のヒートシール部のシール強度が２５Ｎ／１５ｍｍ以上である請求項１乃至７のいずれか１項に記載の複室容器。
請求項９：
前記容器が５００ｍｌ未満の内容量を収容するものであり、かつ前記弱シール部のヒートシール強度が１〜３Ｎ／１５ｍｍである請求項８記載の複室容器。
請求項１０：
前記容器が５００ｍｌ以上の内容量を収容するものであり、かつ前記弱シール部のヒートシール強度が３〜６Ｎ／１５ｍｍである請求項８記載の複室容器。
【発明の効果】
【００１４】
本発明の複室容器は、１２１℃での滅菌処理を適用可能で、かつ透明性に優れるのみならず、弱シール部のシール強度のコントロールを容易かつ自在に行うことができるため、容器容量に応じて最適かつ安定的なシール強度を実現することができ、落下強度に優れ、ポート部（内容物の注入／吐出口）等とのシール性にも優れる複室容器である。
【発明を実施するための最良の形態】
【００１５】
以下、本発明につき更に詳しく説明する。図１は本発明の複室容器の一例を示す複室容器１の平面図であり、図２は図１に示す複室容器１のＸ−Ｘ断面図、図３は本発明の複室容器の他の例を示す複室容器１’についての断面図である。
図１，２に示す複室容器１は、ヒートシール層１３を片面に備えた２枚の樹脂シートにより形成され、前記ヒートシール層１３が内壁面を構成し、周縁部に強シール部２１を設けると共に容器内部を２つに区画する弱シール部３を設けることによって形成されている。区画された各々の室５ａ，５ｂには適宜ポート部４が配設され、該ポート部を介して内容物の複室容器への注入、複室容器からの内容物の吐出が可能である。なお、このようなポート部としては内容物を各室内に充容後に閉塞すること、或いは開閉することが可能であるポート部を用いることが好適である。
【００１６】
図１，２において、複室容器１の両側縁部及び上下縁部には、上下縁部中央部を除いて強固に熱シールされて強シール部２１が形成され、上縁部中央部は内容物を充填後に強固に熱シールされて強シール部２２が形成される。また、下縁部中央にはポート部４が挿入されて、ポート部４の外周面と複室容器１の下縁部中央部とが強固に熱シールされて強シール部２３が形成されている。
【００１７】
複室容器１を構成する樹脂シートは最外層１１と中間層１２と最内層１３とからなる３層構造を有しており、複室容器１において各室の隔離は、対向する最内層１３の一部を弱シールして弱シール部３を形成することにより実現され、使用の際の各室の連通は、５ａまたは５ｂを外部より押圧することにより弱シール部３を剥離することにより実現される。ここで、各々の室を区画する弱シール部を形成する方法としては、図３に示す様に、イージーピール用テープ３ａを対向する内壁面１３，１３間に挿入して容器外部から熱圧着することにより弱シール部３’を形成する方法も好適である。
なお、上記において複室容器１は２枚の多層樹脂シートを重ねてヒートシールすることにより形成されているが、本発明の複室容器の形成に際しては原料樹脂をインフレーション成形することにより予め樹脂の円筒体（単層構成、多層構成の何れも可能である。）を作製し、その後上辺と下辺の強シール部、弱シール部、並びにポート部を適宜配設することにより複室容器を形成する方法も好適である。複室容器を構成する樹脂シートの層構成としては３層に限られるものではなく、複室容器の要求特性等に鑑み、適宜、単層構成、２層構成、或いは４層構成以上とすることも可能である。
【００１８】
本発明の複室容器は、少なくとも片面にヒートシール層を備えた樹脂フィルム又はシートにより形成される容器であって、前記ヒートシール層が前記容器の内壁面を構成すると共に、対向する前記内壁面の一部を剥離可能にヒートシールして設けた弱シール部によって容器内部が区画され、複数の内容物がそれぞれ隔離して収容される複室容器であり、前記ヒートシール層が下記（Ａ）成分と（Ｂ）成分とを含むプロピレン系共重合体組成物よりなることを特徴とする複室容器である。
（Ａ）成分：プロピレンと、エチレン及び／又は炭素数４〜８のα−オレフィンとからなるプロピレン系共重合体成分であって、温度上昇溶離分別法（温度：０〜１４０℃、溶媒：ｏ−ジクロロベンゼン）を用いた場合に、０℃での溶出分の割合が全溶出量に対して１５質量％以上５０質量％以下、６０℃以上９０℃以下での溶出分の割合が全溶出量に対して５質量％以上１５質量％未満であるプロピレン系共重合体成分。
（Ｂ）成分：プロピレンと、エチレン及び／又は炭素数４〜８のα−オレフィンとからなるプロピレン系共重合体成分であって、温度上昇溶離分別法（温度：０〜１４０℃、溶媒：ｏ−ジクロロベンゼン）を用いた場合に、０℃での溶出分の割合が全溶出量に対して０質量％以上２５質量％以下、６０℃以上９０℃以下での溶出分の割合が全溶出量に対して１５質量％以上７０質量％以下であるプロピレン系共重合体成分。
【００１９】
ここで、温度上昇溶離分別法（Ｔｅｍｐｅｒａｔｕｒｅ  Ｒｉｓｉｎｇ  Ｅｌｕｔｉｏｎ  Ｆｒａｃｔｉｏｎａｔｉｏｎ；ＴＲＥＦ）とは、ポリマーの組成分布を分析する公知の方法であって、原理的には個々のポリマー成分が異なる結晶構造を有するため溶媒中での析出速度あるいは溶解速度が個々のポリマー毎に異なることを利用して、ポリマーの組成分布を分析する方法である。即ち、高温でポリマーを溶媒に完全に溶解させた後に不活性坦体の存在下で徐々に冷却すると、まず結晶化し易い高結晶性のポリマー成分が前記不活性担体の表面に先に析出してポリマー層が形成され、その後、結晶化しにくい低結晶性あるいは非晶性のポリマー成分が析出してポリマー層が形成されることとなる。次に、このようにポリマー層を形成後、連続的又は段階的に昇温すると、今度は低結晶性あるいは非晶性のポリマー成分から溶出し、最後に高結晶性ポリマー成分が溶出することとなる。つまり、この各温度での溶出量と溶出温度とによって描かれる溶出曲線から、ポリマーの組成分布を分析することが可能となる。本発明においては、温度上昇溶離分別法に用いる溶媒としてｏ−ジクロロベンゼンを使用し、温度範囲として０〜１４０℃を採用している。
【００２０】
本発明において、上記（Ａ）成分の０℃での溶出量が全溶出量に対して占める割合としては１５質量％以上、好ましくは１８質量％以上、上限として５０質量％以下、好ましくは４０質量％以下である。当該割合が小さすぎると、プロピレン系共重合体組成物のヒートシール温度の変化に対するシール強度の変化が小さな領域がほとんど発現しないため、複室容器のシール強度のコントロールを容易に行なうことができず、本願発明の効果が達成されないとともに、柔軟性が劣り、作成された複室容器の感触が強ばる、落下強度が劣る傾向となる。一方、当該割合が大きすぎると、１２１℃での滅菌処理を施した場合に複室容器の内面がブロッキングすることがある。
【００２１】
また、上記（Ａ）成分の６０℃以上９０℃以下での溶出量が全溶出量に対して占める割合としては５質量％以上、好ましくは６質量％以上、上限として１５質量％未満、好ましくは１０質量％以下である。当該割合が小さすぎると、プロピレン系共重合体組成物の透明性に劣り、一方、当該割合が大きすぎると、プロピレン系共重合体組成物の耐熱性に劣り、得られた複室容器が１２１℃での滅菌処理時に変形してしまう。
【００２２】
本発明において、上記（Ｂ）成分の０℃での溶出量が全溶出量に対して占める割合としては０質量％以上、好ましくは２質量％以上、上限として２５質量％以下、好ましくは１５質量％以下である。当該割合が大きすぎると、１２１℃での滅菌処理を施した場合に容器の内面がブロッキングし、内容物を排出しづらくなる。
【００２３】
また、上記（Ｂ）成分の６０℃以上９０℃以下での溶出量が全溶出量に対して占める割合としては１５質量％以上、好ましくは２０質量％以上、上限として７０質量％以下、好ましくは６０質量％以下である。当該割合が小さすぎると、弱シール部を安定的にヒートシールすることが困難となり、一方、当該割合が大きすぎると、プロピレン系共重合体組成物の耐熱性が劣り、作成された容器が１２１℃滅菌時変形する傾向となり、また、弱シール部を安定的にヒートシールすることが困難となる。
【００２４】
本発明における上記プロピレン系共重合体組成物は、上記（Ａ）成分と（Ｂ）成分とを含むものであるが、（Ａ）成分は、弱シール部のシール強度を制御するヒートシール温度の幅は２０℃程度と狭いが、フィルム同士の熱溶着性に優れており、（Ｂ）成分は、柔軟性に富むことにより、耐熱性や落下強度の向上に優れ、（Ａ）成分に配合することで、弱シール部を得るためのヒートシール温度範囲が２５℃以上に広くなるという性能を有しており、また、フィルムとポート部との溶着強度向上に優れている。両者の配合比としては通常（Ａ）成分：（Ｂ）成分＝９８：２〜５０：５０（質量比）、好ましくは９５：５〜６０：４０（質量比）である。両者の配合比が上記範囲を逸脱すると、ヒートシール温度の変化に対するシール強度の変化が小さな領域がほとんど発現しないため、複室容器のシール強度のコントロールを容易に行なうことができず、本願発明の効果が達成されない場合がある。
【００２５】
上記（Ａ）成分および（Ｂ）成分のプロピレン系共重合体成分は、プロピレンと、エチレン及び／又は炭素数４〜８のα−オレフィンとからなるプロピレン系共重合体成分である。
ここで、上記炭素数４〜８のα−オレフィンとしては、例えば、ブテン−１、３−メチルブテン−１、ペンテン−１、４−メチルペンテン−１、へキセン−１、オクテン−１等が挙げられ、これらは１種を単独で、又は２種以上を併用することも可能である。
本発明における上記プロピレン系共重合体成分としてより具体的には、プロピレンとエチレンとからなる共重合体成分、又はプロピレンとエチレンと炭素数４〜８のα−オレフィンとからなるプロピレン系共重合体成分であることが好ましく、炭素数４〜８のα−オレフィンとしてはブテン−１を採用することが好適である。
【００２６】
本発明における上記（Ａ）成分および（Ｂ）成分のプロピレン系共重合体成分としては、上記条件、即ち、ｏ−ジクロロベンゼンを溶媒として用いた温度０〜１４０℃の間の温度上昇溶離分別における０℃での溶出分および６０℃以上９０℃以下での溶出分の割合がそれぞれ上記範囲であることを満たすプロピレン系共重合体成分であれば、他に特に限定されるものではなく、その製造方法としても種々の方法を採用し得る。
【００２７】
このような上記（Ａ）成分および（Ｂ）成分のプロピレン系共重合体成分の製造方法としては、例えば下記（ｉ）〜（ｉｉｉ）の方法、
（ｉ）少なくとも二段以上の逐次重合を行なうに際し、一段目重合時においてプロピレン単独重合体、またはプロピレンと少量のエチレン及び／又は炭素数４〜８のα−オレフィンを導入してランダム共重合体を製造した後、二段目以降の重合時において、前段で得られた重合体の存在下、プロピレンとエチレン及び／又は炭素数４〜８のα−オレフィンのランダム共重合体を製造する方法、
（ｉｉ）プロピレン単独重合体、またはプロピレンと少量のエチレン及び／又は炭素数４〜８のα−オレフインとのランダム共重合体と、エチレンと炭素数４〜８のα−オレフィンとのランダム共重合体と、をブレンドする方法、
（ｉｉｉ）プロピレン単独重合体、またはプロピレンと少量のエチレン及び／又は炭素数４〜８のα−オレフインとのランダム共重合体と、エチレン及び／又は炭素数４〜８とプロピレンとのランダム共重合体と、をブレンドする方法、
を採用することができる。中でも、経済性の観点から上記（ｉ）の方法を用いることが好適である。
【００２８】
上記（ｉ）の逐次重合に用いる触媒としては、特に限定されるものではないが、有機アルミニウム化合物と、チタン原子、マグネシウム原子、ハロゲン原子、及び電子供与性化合物を必須とする固体成分とからなるものが好ましい。
【００２９】
上記有機アルミニウム化合物としては、例えば一般式Ｒ1mＡlＸ(3-m)（式中、Ｒ1は炭素原子数１〜１２の炭化水素残基、Ｘはハロゲン原子を示し、ｍは１〜３の数である）で表される化合物が使用される。かかる有機アルミニウム化合物の具体例としては、例えばトリメチルアルミニウムクロリド、トリエチルアルミニウムクロリド等のトリアルキルアルミニウムハライド、ジメチルアルミニウムクロリド、ジエチルアルミニウムクロリド等のジアルキルアルミニウムハライド、メチルアルミニウムセスキクロリド、エチルアルミニウムセスキクロリド等のアルキルアルミニウムセスキハライド、メチルアルミニウムジクロリド、エチルアルミニウムジクロリド等のアルキルアルミニウムジハライド、ジエチルアルミニウムハイドライド等のアルキルアルミニウムハイドライド、等が挙げられる。
【００３０】
また、上記チタン原子、マグネシウム原子、ハロゲン原子、及び電子供与性化合物を必須とする固体成分としては、やはりこの種の重合において公知のものが使用でき、チタン原子の供給源となるチタン化合物としては、例えば一般式Ｔｉ（ＯＲ2）(4-n)Ｘn（式中、Ｒ2は炭素原子数１〜１０の炭化水素残基、Ｘはハロゲン原子を示し、ｎは０〜４の数である）で表される化合物が使用される。中でも、四塩化チタン、テトラエトキシチタン、テトラブトキシチタン等が好ましく用いられる。
【００３１】
上記マグネシウム原子の供給源となるマグネシウム化合物としては、例えば、ジアルキルマグネシウム、マグネシウムジハライド、ジアルコキシマグネシウム、アルコキシマグネシウムハライド等が挙げられ、中でもマグネシウムジハライド等が好ましい。ハロゲン原子としては、例えば弗素、塩素、臭素、沃素が挙げられ、中でも塩素が好ましい。ハロゲン原子は、通常、前記のチタン化合物やマグネシウム化合物から供給されるが、アルミニウムのハロゲン化物、珪素のハロゲン化物、タングステンのハロゲン化物などの他のハロゲン供給源から供給されてもよい。
【００３２】
さらに、上記電子供与性化合物としては、例えばアルコール類、フェノール類、ケトン類、アルデヒド類、カルボン酸類、有機酸または無機酸およびその誘導体などの含酸素化合物、アンモニア、アミン類、ニトリル類、イソシアネート類などの含窒素化合物などが挙げられ、中でも無機酸エステル、有機酸エステル、有機酸ハライドが好適であり、特に珪酸エステル、フタル酸エステル、酢酸セロソルブエステル、フタル酸ハライドが好適である。
【００３３】
ここで、上記の珪酸エステルとしては、例えば一般式Ｒ3Ｒ4(3-p)Ｓｉ（ＯＲ5）p（式中、Ｒ3は炭素原子数３〜２０（好ましくは４〜１０）の分岐脂肪族炭化水素残基または炭素原子数５〜２０（好ましくは６〜１０）の環状脂肪族炭化水素残基を示し、Ｒ4は炭素原子数１〜２０（好ましくは１〜１０）の分岐または直鎖脂肪族炭化水素残基を示し、Ｒ5は炭素原子数１〜１０（好ましくは１〜４）の脂肪族炭化水素残基を示し、ｐは１〜３の数である）で表される有機珪素化合物が挙げられる。かかる有機珪素化合物の具体例としては、例えばｔ−ブチル−メチル−ジメトキシシラン、ｔ−ブチル−メチル−ジエトキシシラン、シクロヘキシル−メチル−ジメトキシシラン、シクロヘキシル−メチル−ジエトキシシラン等が挙げられる。
【００３４】
本発明における上記（Ａ）成分および（Ｂ）成分のプロピレン系共重合体成分を製造するに際して上記（ｉ）の製造方法を採用する場合には、一段目重合時においてプロピレン又はプロピレンと少量のエチレン及び／又は炭素数４〜８のα−オレフィンを供給し、上記のような触媒の存在下、重合温度５０〜１５０℃、好ましくは５０〜１００℃、プロピレンの分圧０．５〜４．５ＭＰａ、好ましくは１．０〜３．５ＭＰａの条件で重合を実施し、引き続いて二段目重合時において、一段目重合で得られた重合体の存在下、プロピレンとエチレン及び／又は炭素数４〜８のα−オレフィンを供給し、前記触媒の存在下に温度５０〜１５０℃、好ましくは５０〜１００℃で、プロピレンとエチレン及び／又は炭素数４〜８のα−オレフィンの分圧各０．３〜４．５ＭＰａ、好ましくは０．５〜３．５ＭＰａの条件として、共重合を行なうことができる。
【００３５】
尚、その際の重合方式としては回分式、連続式、半回分式のいずれであってもよいが、一段目及び二段目の重合は気相又は液相中で実施するのが好ましく、各段階の滞留時間は通常各々０．５〜１０時間、好ましくは１〜５時間とすることができる。又、このような方法により製造される組成物の粉体粒子にベタツキ等の間題が生じる場合は、粉体粒子に流動性を付与する目的で、一段目重合後であって二段目重合の開始前又は二段目重合の重合途中に、触媒の固体成分中のチタン原子に対して１００〜１０００倍モルで、かつ触媒の有機アルミニウム化合物に対して２〜５倍モルの範囲で活性水素含有化合物を添加することが好ましい。このような活性水素含有化合物としては、例えば、水、アルコール類、フェノール類、アルデヒド類、カルボン酸類、酸アミド類、アンモニア、アミン類等が挙げられる。
【００３６】
本発明における上記（Ａ）成分および（Ｂ）成分としてのプロピレン系共重合体成分は、ｏ−ジクロロベンゼンを溶媒として用いた温度０〜１４０℃の間の温度上昇溶離分別における０℃での溶出分および６０℃以上９０℃以下での溶出分の割合がそれぞれ特定範囲となるように調整されたものであるが、このような条件を満たすようにポリマーの溶出割合を調整する方法としては、プロピレン以外のエチレン及び／又は炭素数４〜８のα−オレフインを多段共重合することによって、プロピレン系重合体の結晶性をコントロールする方法や、触媒を選択することによりプロピレン系重合体の立体規則性をコントロールする方法が挙げられる。
【００３７】
本発明における上記（Ａ）成分および（Ｂ）成分のプロピレン系共重合体成分には、弱シール強度を得るヒートシール温度範囲を広くする観点から、スチレン含有率２５質量％以下のスチレン系エラストマーを配合することが好適である。その配合量としては、前記プロピレン系共重合体組成物中に占める割合として通常１質量％以上、好ましくは５質量％以上、上限として通常１０質量％以下、好ましくは８質量％以下である。当該スチレン系エラストマーが上記プロピレン系共重合体成分中に占める割合が１質量％未満であると、弱シール強度を得るヒートシール温度範囲を広げるのに十分な効果がない場合があり、一方、１０質量％を超えると、ブロッキングが発現する場合がある。
【００３８】
また、本発明における上記プロピレン系共重合体組成物には、更に従来公知の酸化防止剤、光安定剤、中和剤、α晶核剤、β晶核剤、アンチブロッキング剤、滑剤等の各種添加剤を、本発明の目的を損なわない範囲で適宜配合しても良い。
【００３９】
前記（Ａ）成分と（Ｂ）成分との配合比としては、通常（Ａ）成分：（Ｂ）成分＝９８：２〜５０：５０（質量比）、さらに好ましくは９０：１０〜６０：４０（質量比）の割合であり、（Ａ）成分が前記範囲超過かつ（Ｂ）成分が前記範囲未満では、弱シール部を安定的にヒートシールすることが困難となる傾向となる。一方、（Ａ）成分が前記範囲未満かつ（Ｂ）成分が前記範囲超過においても、弱シール部を安定的にヒートシールすることが困難となり、また、容器作成時にポート部とのシール性が劣る傾向となる。
【００４０】
本発明の複室容器は、少なくとも片面にヒートシール層を備えた樹脂フィルム又はシートにより構成される容器であるが、ヒートシール層を備えた樹脂フィルム又はシートとしては、１２１℃の滅菌適性、落下強度、ハンドリング性の観点から、ヒートシール層、中間層、及び最外層を含む３層以上の構成を有することが好適である。
【００４１】
上記中間層及び最外層としては特に限定されるものではないが、例えば下記（Ｉ）〜（ＩＶ）のような構成とすることができる。即ち、
（Ｉ）最外層を上記（Ａ）成分：プロピレン単独重合体＝５：９５〜９５：５（質量比）で含むプロピレン系共重合体組成物にて形成し、中間層を上記（Ａ）成分：引張弾性率が２００ＭＰａ以下のメタロセン系プラストマー＝９５：５〜７０：４０（質量比）で含む組成物にて形成する。ここで、引張弾性率が２００ＭＰａ以下のメタロセン系プラストマーとしては公知のものを使用することができる。例えば日本ポリケム（株）製“カーネル”等が挙げられる。以下、「引張弾性率が２００ＭＰａ以下のメタロセン系プラストマー」と記載するときに同様である。なお、ここでいう「引張弾性率」とは、ＪＩＳ−Ｋ７１２７に準拠して測定した引張弾性率である。
（ＩＩ）最外層を上記（Ａ）成分５〜９０質量部と、上記（Ｂ）成分５〜９０質量部と、プロピレンの単独重合体５〜９０質量部とを配合してなる組成物にて形成し、中間層を上記（Ａ）成分５〜９０質量部と、上記（Ｂ）成分５〜９０質量部と、引張弾性率が２００ＭＰａ以下のメタロセン系プラストマー５〜４０質量部とを配合してなる組成物にて形成する。
（ＩＩＩ）最外層を上記（Ａ）成分：プロピレンの単独重合体＝５：９５〜９５：５（質量比）で含む組成物にて形成し、中間層を（Ａ）成分：熱可塑性エラストマー＝９５：５〜７０：４０（質量比）で含む組成物にて形成する。ここで、熱可塑性エラストマーとしては公知のものを使用することができ、例えばエチレンプロピレン系エラストマー三井化学（株）製“タフマー”、スチレン系エラストマーＪＳＲ（株）製“ダイナロン”等が挙げられる。以下、「熱可塑性エラストマー」と記載するときに同様である。
（ＩＶ）最外層を上記（Ａ）成分５〜９０質量部と、上記（Ｂ）成分５〜９０質量部と、プロピレンの単独重合体５〜９０質量部とを配合してなる組成物にて形成し、中間層を上記（Ａ）成分５〜９０質量部と、上記（Ｂ）成分５〜９０質量部と、熱可塑性エラストマー５〜４０質量部とを配合してなる組成物にて形成する。
【００４２】
上記（Ｉ）〜（ＩＶ）の構成において、最外層を（Ａ）成分とプロピレンの単独重合体とを５：９５〜９５：５（質量比）で含む組成物で形成したり、（Ａ）成分５〜９０量部と（Ｂ）成分５〜９０質量部とプロピレンの単独重合体５〜９０質量部とを配合してなる組成物にて形成したりすると、本発明の複室容器の表面耐熱性が向上し、容器外面のべたつき感がなく、製袋適性・印刷適性に優れる複室容器を得ることができるため好適である。
また、中間層を（Ａ）成分と引張弾性率が２００ＭＰａ以下のメタロセン系プラストマーとを９５：５〜７０：４０（質量比）で含む組成物で形成したり、（Ａ）成分５〜９０量部と（Ｂ）成分５〜９０質量部と引張弾性率が２００ＭＰａ以下のメタロセン系プラストマー５〜４０質量部とを配合してなる組成物にて形成したりすると、本発明の複室容器の１２１℃滅菌後の透明性及び柔軟性に優れると共に、落下衝撃強度に非常に優れる複室容器を得ることができるため好適である。
さらに、中間層を（Ａ）成分と熱可塑性エラストマーとを９５：５〜７０：４０（質量比）で含む組成物で形成したり、（Ａ）成分５〜９０量部と（Ｂ）成分５〜９０質量部と熱可塑性エラストマー５〜４０質量部とを配合してなる組成物にて形成したりする（但し、熱可塑性エラストマーとしてはスチレン含有量２０％以下のスチレン系エラストマーを用いることが好ましい。）ことによっても、本発明の複室容器の１２１℃滅菌後の透明性及び柔軟性に優れるとともに、落下衝撃強度に非常に優れる複室容器を得ることができるため好適である。
【００４３】
なお、上記引張弾性率が２００ＭＰａ以下のメタロセン系プラストマーとしては、耐熱性と柔軟性の観点から、１９０℃におけるメルトフローレートが０．５〜１０ｇ／１０分であり、且つ密度が０．８７〜０．９４ｇ／ｃｍ3である引張弾性率が２００ＭＰａ以下のメタロセン系プラストマーであることが好適である。
また、上記熱可塑性エラストマーとしては、滅菌後の透明性の観点から、スチレン含有量２５質量％以下のスチレン系エラストマーであることが好適である。
【００４４】
本発明における樹脂フィルム又はシートが上記のような３層以上の構成を有する場合、その積層方法としては特に制限されるものではないが、ドライラミネート法、押出しラミネート法、多層共押出し法のいずれか又はその組み合わせにより形成する方法が好適に用いられる。
【００４５】
本発明においては、本発明の複室容器の内壁面を構成するヒートシール層を、上述のような（Ａ）成分と（Ｂ）成分とを含むプロピレン系共重合体組成物にて構成することにより、１２１℃での滅菌処理を適用することが可能であるのみならず、該滅菌処理後も安定的な弱シール性を保持し、容器の変形もなく透明性に優れ、しかもヒートシール温度の変化に対するシール強度の変化が小さな領域が広い温度範囲にわたって発現するため、特に弱シール部のシール強度のコントロールを容易に行うことが可能であり、容器容量に応じて最適かつ安定的なシール強度を実現し、落下衝撃強度に優れ、ポート部等とのシール性にも優れる複室容器としたものである。
【００４６】
ここで、弱シール部を適切なシール強度範囲に容易かつ自在にコントロールするためには、安全率を考えると、弱シール部を形成する際のヒートシール温度条件として、２５℃以上、特に３０〜４０℃の温度幅が確保されることが好適である。温度幅とは、後述するシール強度の弱シール部を形成可能な最低温度と最高温度との差を意味するものである。
複室容器を形成するにあたり、仮に上記ヒートシール層を（Ａ）成分のみで構成した場合には、１２１℃での滅菌処理に対する耐熱性を有する弱シール部を形成することは可能となるものの、このような広いシール温度幅を確保することはできない。本発明において、（Ａ）成分と（Ｂ）成分とを共にヒートシール層に配合することによりはじめて、１２１℃滅菌適性を有し、かつ弱シール部形成の際には２５℃以上という広範なシール温度範囲を確保することが可能となる。しかも、このようにヒートシール層を形成すると、複室容器にポート部を設置する際に低温でヒートシール層とポート部とのシール強度を確保できるため、必要以上に高温でのヒートシールを行なわずに済む結果、ポートシール部からの内容液のリークが発生する危険性が低減し、ポート部との安定したシール性を確保することも可能となる。
なお、本発明において上記（Ａ）成分と（Ｂ）成分の総量が、ヒートシール層を構成する上記プロピレン系共重合体組成物中に占める割合としては、通常５０質量％以上、好ましくは７０質量％以上、より好ましくは９０質量％以上である。該割合が少なすぎると、弱シール部を形成するためのヒートシール温度範囲が狭くなり、弱シール強度が得られない場合がある。
【００４７】
本発明において弱シール部とは、ヒートシールにより剥離可能に設けられたシール部を意味し、シール強度として特に限定されるものではないが、本発明の複室容器における弱シール部の、ＪＩＳ−Ｚ０２３８に準拠して測定したヒートシール強度（１８０°剥離強度）としては１〜６Ｎ／１５ｍｍであることが好適である。
また、このような弱シール部のヒートシール強度を実現するためのヒートシール条件としては、上記ヒートシール層を少なくとも片面に備えた樹脂フィルム又はシートの素材構成や層厚み等を鑑み適宜設定されるが、例えば後述の実施例に示す通り、シール圧力０．２ＭＰａ，シール時間２秒間で、シール温度を１４５〜１８０℃とすることができる。即ち、弱シール部を形成可能なヒートシール温度範囲を２５℃以上と広く確保することが可能である。ヒートシール強度はヒートシール温度の上昇に伴って漸増するため、弱シール部のヒートシール強度を容易かつ自在にコントロールすることが可能である。
なお、弱シール部形成時のシール圧力としては０．１〜０．６ＭＰａ、シール時間としては１〜８秒の条件を採用可能である。
【００４８】
上述の通り、本発明の複室容器に弱シール部を形成する際、そのシール強度を容易かつ自在にコントロールすることができる結果、本発明の複室容器を用いれば、収容される内容物の容積や重量などに応じたヒートシール強度の設定が可能となる。即ち、例えば内容量の合計が５００ｍｌ未満である場合には、容器の弱シール強度を１〜３Ｎ／１５ｍｍとし、内容量の合計が５００ｍｌ以上である場合には、容器の弱シール強度を３〜６Ｎ／１５ｍｍと設定する、といったことを容易に行うことが可能であり、容器の内容量により最適な弱シール強度範囲にコントロールすることが可能である。内容量の合計が５００ｍｌ未満の容器に対して弱シール部のシール強度が３Ｎ／１５ｍｍを超えると、押圧による弱シール部の剥離に手間がかかるばかりか、複室容器の弱シール部以外の部分の破損が生じる場合がある。また、内容量の合計が５００ｍｌ以上の容器に対して弱シール部のシール強度が３Ｎ／１５ｍｍ未満であると、輸送時や落下時に弱シール部の連通が生じる場合がある。
【００４９】
本発明の複室容器においては、小容量から大容量までの広範囲の容器へ適用できるようになるとの観点から、弱シール部のシール強度を１〜６Ｎ／１５ｍｍ、かつ該弱シール部以外のヒートシール部、即ち、複室容器の周縁部に設ける強シール部のヒートシール強度を通常２０Ｎ／１５ｍｍ以上、好ましくは２５Ｎ／１５ｍｍ以上とすることが好適である。
このような強シール部を実現するヒートシール条件としては、用いる樹脂フィルム又はシートの素材構成や層厚み等を鑑み適宜設定されるが、例えば２００℃（圧力０．２ＭＰａ，時間２秒）の条件を採用することができる。強シール部を形成する際のヒートシール条件としては、上記弱シール部を形成する場合に比べて厳密なシール条件の設定が必要でない場合が多く、通常は２００℃以上、好ましくは２１０℃以上に温度を設定すれば、通常用いられる圧力条件及び時間条件下で強シール部の形成が可能である。強シール部形成時のシール圧力としては０．１〜０．６ＭＰａ、シール時間としては０．５〜８秒の条件を採用可能である。
【００５０】
本発明においてヒートシールを行なう際には、所定の温度に調節した一対の発熱体に目的とするシール箇所を挟み込んで圧着する通常のヒートシール法の他、インパルスシール法などの、ヒートシール層の発熱を誘起してシールする方法や高周波シール法など公知の方法を採用することができる。
また、弱シール部を設けるにあたっては、前記プロピレン系共重合体組成物よりなるヒートシール層を少なくとも表面層として備えるイージーピール用テープを、対向する前記内壁面間に挿入した状態で当該箇所をヒートシールすることにより設ける方法も好適に採用し得る。このように弱シール部を設けることにより、イージーピール用テープを挿入する工程が加わり、工程が煩雑となる欠点を有するものの、安定的な弱シール強度域を設けるシール工程の管理を簡略化することが可能となる。例えば、片面がポリプロピレン単独重合体で、片面が前記プロピレン系共重合体組成物よりなるイージーピール用テープの場合、ヒートシール条件に差異を設けなくとも、弱シール部と強シール部とを同一のヒートシール条件下に形成し得、両面が前記プロピレン系共重合体組成物よりなるイージーピール用テープである場合、上述した方法と同様な方法により、弱シール部のシール強度を制御できる。
【００５１】
本発明の複室容器における樹脂フィルムまたはシートは、１２１℃で３０分間の滅菌処理を行なった直後の全光線透過率が８０％以上、ヘイズが２５％以下、引張引張弾性率が４００ＭＰａ以下であることが好ましい。なお、本発明において「全光線透過率」及び「ヘイズ」とはＪＩＳ−Ｋ７１０５に準拠して測定した全光線透過率及びヘイズを意味し、「引張弾性率」とはＪＩＳ−Ｋ７１２７に準拠して測定した引張弾性率を意味する。
【００５２】
以下、実施例及び比較例を示し、本発明を具体的に説明するが、本発明は下記実施例に制限されるものではない。
【実施例】
【００５３】
〔実施例１〕
表面層原料として下記（ａ）成分とホモポリプロピレンとを９：１の割合で混合して得た組成物、中間層原料として下記（ａ）成分と引張弾性率が１００ＭＰａのメタロセン系プラストマー（日本ポリケム（株）製“カーネル”）とを８：２の割合で混合して得た組成物、ヒートシール層原料として下記（ａ）成分と下記（ｂ）成分とを６：４の割合で混合して得た組成物を用い、多層共押出し法により製膜して総厚み２００μｍのシート１を作製した。表面層厚みは２０μｍ、中間層厚みは１４０μｍ、ヒートシール層厚みは４０μｍであった。
【００５４】
［（ａ）成分］
プロピレン系共重合体成分の、ｏ−ジクロロベンゼンを溶媒として用いた温度０℃から１４０℃の間の温度上昇溶離分別における０℃での溶出分が全溶出量に対して占める割合が２３質量％であり、６０℃以上９０℃以下での溶出分が全溶出量に対して占める割合が８質量％である三菱化学（株）製重合型ポリプロピレン系ＴＰＯ。
［（ｂ）成分］
プロピレン系共重合体成分の、ｏ−ジクロロベンゼンを溶媒として用いた温度０℃から１４０℃の間の温度上昇溶離分別における０℃での溶出分が全溶出量に対して占める割合が７質量％であり、６０℃以上９０℃以下での溶出分が全溶出量に対して占める割合が５０質量％である三菱化学（株）製重合型ポリプロピレン系ＴＰＯ。
【００５５】
このシート１を用い、外周部及びポートシール部を２００℃、圧力０．５ＭＰａ、４秒間の条件でヒートシールを行い、その後、容器内部を区画する弱シール部を１６０℃、圧力０．２ＭＰａ、２秒間の条件でヒートシールを行うことにより設けて、複室容器１を作製した。複室容器１の外周部ヒートシール強度は３５Ｎ／１５ｍｍであり、弱シール部ヒートシール強度は３．２Ｎ／１５ｍｍであった。なお、温度条件のみを変更してヒートシール強度が１〜６Ｎ／１５ｍｍとなるよう弱シール部を形成したところ、温度範囲は下表１に示すように１４５〜１８０℃であった。弱シール部を形成可能な温度範囲の幅として、３５℃の幅が確保されていることが分かった。
【００５６】
【表１】
2005168810.tif 000003
＊）ＪＩＳ−Ｚ０２３８に準拠して測定したヒートシール強度（１８０°剥離強度）。シール条件：圧力０．２ＭＰａ、シール時間２秒間。実施例１〜６においてはシール強度が６Ｎ／１５ｍｍ以下である場合、弱シール部と認定した。
【００５７】
二室に分かれた複室容器１の各室にそれぞれ１リットルの注射用蒸留水を充填して密封後に、１２１℃での滅菌処理を３０分間行った。弱シール部はこの滅菌処理により連通することはなく、手による加重により容易に連通することが可能であった。この容器の１２１℃で３０分間の滅菌処理を行なった直後の全光線透過率は９０％、ヘイズは１３％、引張弾性率は２２０ＭＰａであった。
【００５８】
〔実施例２〕
表面層原料として上記（ａ）成分とホモポリプロピレンとを９：１の割合で混合して得た組成物、中間層原料として上記（ａ）成分とスチレン含有量が２０％のスチレン系エラストマー（（株）クラレ製“ハイブラー”）とを９：１の割合で混合して得た組成物、ヒートシール層原料として上記（ａ）成分と上記（ｂ）成分とを７：３の割合で混合して得た組成物を用い、多層共押出し法により製膜して総厚み２００μｍのシート２を作製した。表面層厚みは２０μｍ、中間層厚みは１４０μｍ、ヒートシール層厚みは４０μｍであった。
【００５９】
このシート２を用い、外周部及びポートシール部を２００℃、圧力０．５ＭＰａ、４秒間の条件でヒートシールを行い、その後、容器内部を区画する弱シール部を１６０℃、圧力０．２ＭＰａ、２秒間の条件でヒートシールを行うことにより設けて、複室容器２を作製した。複室容器１の外周部ヒートシール強度は３４Ｎ／１５ｍｍであり、弱シール部ヒートシール強度は３．５Ｎ／１５ｍｍであった。実施例１と同様にして測定した弱シール部形成可能温度幅は３０℃であった。
二室に分かれた複室容器２の各室にそれぞれ１リットルの蒸留水を充填して密封後に、１２１℃での滅菌処理を３０分間行った。弱シール部はこの滅菌処理により連通することはなく、手による加重により容易に連通することが可能であった。この容器の１２１℃で３０分間の滅菌処理を行なった直後の全光線透過率は９０％、ヘイズは１５％、引張弾性率は２００ＭＰａであった。
【００６０】
〔実施例３〕
表面層原料として上記（ａ）成分と上記（ｂ）成分とホモポリプロピレンとを８：１：１の割合で混合して得た組成物、中間層原料として上記（ａ）成分と上記（ｂ）成分と引張弾性率が８０ＭＰａのメタロセン系プラストマー（日本ポリケム（株）製“カーネル”）とを６：２：２の割合で混合して得た組成物、ヒートシール層原料として上記（ａ）成分と上記（ｂ）成分とを７：３の割合で混合して得た組成物を用い、多層共押出し法により製膜して総厚み２５０μｍのシート３を作製した。表面層厚みは２０μｍ、中間層厚みは１８０μｍ、ヒートシール層厚みは５０μｍであった。
【００６１】
このシート３を用い、外周部及びポートシール部を２１０℃、圧力０．５ＭＰａ、４秒間の条件でヒートシールを行い、その後、容器内部を区画する弱シール部を１７０℃、圧力０．２ＭＰａ、２秒間の条件でヒートシールを行うことにより設けて、複室容器３を作製した。複室容器３の外周部ヒートシール強度は３０Ｎ／１５ｍｍであり、弱シール部ヒートシール強度は４．２Ｎ／１５ｍｍであった。実施例１と同様にして測定した弱シール部形成可能温度幅は３０℃であった。
二室に分かれた複室容器３の各室にそれぞれ１リットルの蒸留水を充填して密封後に、１２１℃での滅菌処理を３０分間行った。弱シール部はこの滅菌処理により連通することはなく、手による加重により容易に連通することが可能であった。この容器の１２１℃で３０分間の滅菌処理を行なった直後の全光線透過率は９０％、ヘイズは１４％、引張弾性率は２００ＭＰａであった。
【００６２】
〔実施例４〕
表面層原料として上記（ａ）成分と上記（ｂ）成分とホモポリプロピレンとを８：１：１の割合で混合して得た組成物、中間層原料として上記（ａ）成分と上記（ｂ）成分とスチレン含有量２０％のスチレン系エラストマー（（株）クラレ製“ハイブラー”）とを７：２：１の割合で混合して得た組成物、ヒートシール層原料として上記（ａ）成分と上記（ｂ）成分とを７：３の割合で混合して得た組成物を用い、多層共押出し法により製膜して総厚み２００μｍのシート４を作製した。表面層厚みは２０μｍ、中間層厚みは１４０μｍ、ヒートシール層厚みは４０μｍであった。
【００６３】
このシート４を用い、外周部及びポートシール部を２００℃、圧力０．５ＭＰａ、３秒間の条件でヒートシールを行い、その後、容器内部を区画する弱シール部を１６０℃、圧力０．２ＭＰａ、２秒間の条件でヒートシールを行うことにより設けて、複室容器４を作製した。複室容器４の外周部ヒートシール強度は３５Ｎ／１５ｍｍであり、弱シール部のヒートシール強度は３．５Ｎ／１５ｍｍであった。実施例１と同様にして測定した弱シール部形成可能温度幅は３５℃であった。
二室に分かれた複室容器４の各室にそれぞれ１リットルの注射用蒸留水を充填して密封後に、１２１℃での滅菌処理を３０分間行った。弱シール部はこの滅菌処理により連通することはなく、手による加重により容易に連通することが可能であった。この容器の１２１℃で３０分間の滅菌処理を行なった直後の全光線透過率は９１％、ヘイズは１６％、引張弾性率は２００ＭＰａであった。
【００６４】
〔実施例５〕
表面層原料として上記（ａ）成分とホモポリプロピレンとを９：１の割合で混合して得た組成物、中間層原料として上記（ａ）成分と引張弾性率が１００ＭＰａのメタロセン系プラストマー（日本ポリケム（株）製“カーネル”）とを８：２の割合で混合して得た組成物、ヒートシール層原料として上記（ａ）成分と上記（ｂ）成分とスチレン含量１０％のスチレン系エラストマー（（株）クラレ製“ハイブラー”）とを７０：２５：５の割合で混合して得た組成物を用い、多層共押出し法により製膜して総厚み２００μｍのシート５を作製した。表面層厚みは２０μｍ、中間層厚みは１４０μｍ、ヒートシール層厚みは４０μｍであった。
【００６５】
このシート５を用い、外周部及びポートシール部を２００℃、圧力０．５ＭＰａ、４秒間の条件でヒートシールを行い、その後、容器内部を区画する弱シール部を１６５℃、圧力０．２ＭＰａ、２秒間の条件でヒートシールを行うことにより設けて、複室容器５を作製した。複室容器５の外周部ヒートシール強度は３２Ｎ／１５ｍｍであり、弱シール部ヒートシール強度は２．５Ｎ／１５ｍｍであった。実施例１と同様にして測定した弱シール部形成可能温度幅は４０℃であった。
二室に分かれた複室容器５の各室にそれぞれ１リットルの蒸留水を充填して密封後に、１２１℃での滅菌処理を３０分間行った。弱シール部はこの滅菌処理により連通することはなく、手による加重により容易に連通することが可能であった。この容器の１２１℃で３０分間の滅菌処理を行なった直後の全光線透過率は９０％、ヘイズは１６％、引張弾性率は２００ＭＰａであった。
【００６６】
〔実施例６〕
まず、上記（ａ）成分と上記（ｂ）成分とを９：１の割合で混合して得た組成物を用い、インフレーション成膜法を用いて厚さ４０μｍのフィルムを得た。
次に、第一層（最外層）として１２μｍのポリエチレンテレフタレートフィルム（東洋紡績（株）製“エステルＥ５１０２”）、第二層として１２μｍのアルミナ蒸着ポリエステルテレフタレート（凸版印刷（株）製“ＧＬフィルム”）、第三層として１５μｍのナイロンフィルム（ユニチカ（株）製“エンブレム”）、第四層として上記４０μｍ厚みのフィルムを用い、ドライラミネート法によって４層構成の多層フィルム６を得た。
【００６７】
この多層フィルム６を用い、外周部及びポートシール部を２００℃、圧力０．５ＭＰａ、４秒間の条件でヒートシールを行い、その後、容器内部を区画する弱シール部を１６５℃、圧力０．２ＭＰａ、２秒間の条件でヒートシールを行うことにより設けて、複室容器６を作製した。複室容器６の外周部ヒートシール強度は３２Ｎ／１５ｍｍであり、弱シール部ヒートシール強度は２．５Ｎ／１５ｍｍであった。実施例１と同様にして測定した弱シール部形成可能温度幅は３０℃であった。
二室に分かれた複室容器６の各室にそれぞれ１リットルの蒸留水を充填して密封後に、１２１℃での滅菌処理を３０分間行った。弱シール部はこの滅菌処理により連通することはなく、手による加重により容易に連通することが可能であった。この容器の１２１℃で３０分間の滅菌処理を行なった直後の全光線透過率は９０％、ヘイズは１６％であった。
【００６８】
〔比較例１〕
表面層原料として上記（ａ）成分とホモポリプロピレンとを９：１の割合で混合して得た組成物、中間層原料として上記（ａ）成分と引張弾性率が１００ＭＰａのメタロセン系プラストマー（日本ポリケム（株）製“カーネル”）とを８：２の割合で混合して得た組成物、ヒートシール層原料として上記（ａ）成分のみを用い、多層共押出し法により製膜して総厚み２００μｍのシート１’を作製した。表面層厚みは２０μｍ、中間層厚みは１４０μｍ、ヒートシール層厚みは４０μｍであった。
【００６９】
このシート１’を用い、外周部及びポートシール部を２００℃、圧力０．５ＭＰａ、４秒間の条件でヒートシールを行い、その後、容器内部を区画する弱シール部を１６０℃、圧力０．２ＭＰａ、２秒間の条件でヒートシールを行うことにより設けて、複室容器１’を作製した。複室容器１’の外周部ヒートシール強度は３０Ｎ／１５ｍｍであったが、弱シール部形成可能温度幅は２０℃未満と狭く、強度は２Ｎ／１５ｍｍとすることは可能であったが、シール温度範囲が狭く複室容器としては適さないものであった。
【００７０】
〔比較例２〕
ヒートシール層原料として上記（ａ）成分のみを用いた以外は比較例１と同様にして総厚み２００μｍのシート２’を作製した。表面層厚みは２０μｍ、中間層厚みは１４０μｍ、ヒートシール層厚みは４０μｍであった。
【００７１】
このシート２’を用い、比較例１と同様にして外周部及びポートシール部と容器内を区画する弱シール部のヒートシールを行い、複室容器２’を作製した。複室容器２’の外周部ヒートシール強度は３０Ｎ／１５ｍｍであったが、弱シール部形成可能温度幅が極めて狭いため、弱シール部を形成することはできなかった。
【図面の簡単な説明】
【００７２】
【図１】本発明の複室容器の一例を示す平面図である。
【図２】図１に示す複室容器のＸ−Ｘ断面図である。
【図３】本発明の複室容器の他の例についての断面図である。
【符号の説明】
【００７３】
１，１’  複室容器
１１  最外層
１２  中間層
１３  最内層
２１，２２，２３  強シール部
３，３’  弱シール部
３ａ  イージーピール用テープ
４  ポート部
５ａ，５ｂ  室
【図１】
2005168810.tif 000004
【図２】
2005168810.tif 000005
【図３】
2005168810.tif 000006